(57)【特許請求の範囲】
【請求項１】
本体内に熱交換器が略垂直に立設され送風機がこの本体内の上部に略水平に収納され、この本体の天板で前記熱交換器の上部を覆い、且つこの天板には前記送風機が配置されるベルマウス状の開口部が設けられこの天板の裏側には前記送風機を駆動するファンモータが金具を介して吊り下げ固定される空気調和機の室外ユニットにおいて、前記熱交換器と近接し、且つ、前記天板の裏側へ固定される前記金具の他端には前記熱交換器の下方に行くに従って横幅寸法が小さくなって、この熱交換器との隙間を大きく保つための切欠きが設けられていることを特徴とする空気調和機の室外ユニット。
【請求項２】
請求項１記載の空気調和機の室外ユニットにおいて、前記熱交換器には伝熱管が千鳥状に配置され、しかもこの熱交換器の最上部に位置する伝熱管は、前記ファンモータを吊り下げ固定する金具の他端と対向する位置の反対側に挿通させたことを特徴とする請求項１記載の空気調和機の室外ユニット。
【発明の詳細な説明】
【０００１】
【発明の属する技術分野】
この発明は空気調和機の室外ユニットに関し、特に室外ユニットに内蔵されたファンモータの固定構造に関するものである。
【０００２】
【従来の技術】
まず、従来のこの種の空気調和機の室外ユニット構造を図５において説明する。
【０００３】
図５において、１は本体、２はプレートフィン型の熱交換器（以下、単に「凝縮器」という）この凝縮器２は本体１の外周を構成しており、冷媒を通す伝熱管２Ａとこの伝熱管２Ａが挿通される多数枚の放熱フィン２Ｂ等によって構成されている。また、伝熱管２Ａは放熱フィン２Ｂの内部を千鳥状に配置されている。
【０００４】
８は送風機であり、ファンモータ８Ａと、この軸８Ｂ、および軸８Ｂに軸支されているファン８Ｃとにより構成され、凝縮器２の外側から吸い込んだ空気を上方へ放出し放熱をする。
【０００５】
ここで、ファンモータ８Ａを固定している固定金具７は、一端７Ａがファンモータ８Ａの外殻に取付られ、他端７Ｂは、本体１の外周を構成している凝縮器２の放熱フィン２Ｂの内側上面に近接した天板３のコーナ部の凸部３Ｂの裏側にボルト４により取付られる。
【０００６】
そして、固定金具７の他端７Ｂの先端形状は図５のように略直角θとなっている。このように先端形状が略直角θであったり、また、凝縮器２を構成している伝熱管２Ａは千鳥状に配置されており最上部に位置する伝熱管２ＡＡが固定金具７の他端７Ｂに近接していると、他端７Ｂの固定が凝縮器２の上面と同じ面である天板３の裏面である為、本体１を組立てる時などには凝縮器２を構成している放熱フィン２Ｂや伝熱管２Ａにキズや変形を生じさせないよう、また、ファンモータ８Ａの振動による影響を少なくする為、固定金具７と凝縮器２の放熱フィン２Ｂの内側上面との距離Ｔを充分確保するようにしていた。
【０００７】
このような従来の固定構造では、ファンモータ８Ａの固定金具７の他端７Ｂと凝縮器２の放熱フィン２Ｂの内側上面との間に充分な距離Ｔを確保していた。このため凝縮器２ひいては室外ユニットの外形が大きくなったり、また、同じ外形の凝縮器２であると容量が小さくなり能力が小さくなってしまうという問題があった。
【０００８】
本発明は上記従来の問題点を解消するもので、空気調和機の室外ユニット全体を小型化し、また、同じ外形の凝縮器であれば容量が大きく、能力の大きい室外ユニットを提供することを目的とする。
【０００９】
【課題を解決するための手段】
上記課題を解決するため、請求項１に記載の本発明では、本体内に熱交換器が略垂直に立設され送風機がこの本体内の上部に略水平に収納され、この本体の天板で前記熱交換器の上部を覆い、且つこの天板には前記送風機が配置されるベルマウス状の開口部が設けられこの天板の裏側には前記送風機を駆動するファンモータが金具を介して吊り下げ固定される空気調和機の室外ユニットにおいて、前記熱交換器と近接し、且つ、前記天板の裏側へ固定される前記金具の他端には前記熱交換器の下方に行くに従って横幅寸法が小さくなって、この熱交換器との隙間を大きく保つための切欠きが設けられていることを特徴とする。
【００１０】
請求項２記載の本発明では、請求項１記載の空気調和機の室外ユニットにおいて、前記熱交換器には伝熱管が千鳥状に配置され、しかもこの熱交換器の最上部に位置する伝熱管は、前記ファンモータを吊り下げ固定する金具の他端と対向する位置の反対側に挿通させたことを特徴とする。
【００１１】
【発明の実施の形態】
以下、本発明の第一の実施例を図１ないし図３を参照しながら説明する。
図１ないし図３において、各符号は前述の従来例と同一の構成を有する部分であり、その詳細な説明は省略する。
【００１２】
３はこの本体１の天面を覆って、凝縮器２の上面も覆っている天板である。この天板３は略正方形を成しており、中央部にこの天板３の面積の約６０％を占めるベルマウス状の開口部３Ｃを有している。このベルマウス状の開口部３Ｃはファン８Ｃをこのベルマウス状の開口部３Ｃの内部にて回転できるように構成されている。
【００１３】
さらに、この天板３には固定金具７を対角に固定するためのボルト４を貫通させる孔３Ａが４つの各コーナ付近に２個づつ設けてある。そして、この各コーナ付近に設けられた２個づつの孔３Ａは、天板３の各コーナ近辺に補強のために設けられている凸部３Ｂに設けられている。４Ａは振動によるボルト４の緩みを防止するためのスプリングワッシャー、５はファンガードである。
【００１４】
前述の固定金具７は、同形状の固定金具７を４本使用しており、この固定金具７の一端７Ａはファンモータ８Ａの外殻の４ヵ所に取付られており、また、他端７Ｂは、天板３にボルト４によりスプリングワッシャー４Ａを介して、天板３の４ヵ所のコーナ部近辺に設けられている凸部３Ｂの裏側に固定される。
【００１５】
ここで、固定金具７の他端７Ｂの先端形状は図３のように切欠き７０を設けて鋭角θ１となっている。このように固定金具７の先端を鋭角θ１の形状にすることで固定金具７の他端７Ｂの先端が固定金具７の板厚のみとなるため、固定金具７を凝縮器２の放熱フィン２Ｂの内側上面に近接して設けても、本体１の組立て等の時に伝熱管２Ａや放熱フィン２Ｂにキズや変形を生じさせる虞が少なくなり、また、ファンモータ８Ａの振動による影響も少なくなり、安定した品質が保たれ本体１の外形も小さく小型化できる。
【００１６】
次に、本発明の第二の実施例について図1、図2、および図4について説明する。
図１、図2および図4において、各符号は前述の従来例、及び第一の実施例と同一の構成を有する部分であり、その詳細な説明は省略する。
【００１７】
本発明の第二の実施例では固定金具７の他端７Ｂの形状を鋭角θ１として、この凝縮器２を構成している千鳥状に配置された伝熱管２Ａのなかで最上部に位置する伝熱管２ＡＡを、固定金具７の他端７Ｂからの距離が最もはなれるように配置することで、固定金具７を凝縮器２の放熱フィン２Ｂの内側上面に近接して設けても、本体１の組立て等の時に伝熱管２Ａや放熱フィン２Ｂにキズや変形を生じさせる虞がより少なくなり、また、ファンモータ８の振動による影響も少なくなり、より安定した品質が保たれ本体１の外形も小さく小型化できる。
【００１８】
【発明の効果】
以上説明したように請求項１に記載の本発明によれば、本体内に熱交換器が略垂直に立設され送風機がこの本体内の上部に略水平に収納され、この本体の天板で前記熱交換器の上部を覆い、且つこの天板には前記送風機が配置されるベルマウス状の開口部が設けられこの天板の裏側には前記送風機を駆動するファンモータが金具を介して吊り下げ固定される空気調和機の室外ユニットにおいて、前記熱交換器と近接し、且つ、前記天板の裏側へ固定される前記金具の他端には前記熱交換器の下方に行くに従って横幅寸法が小さくなって、この熱交換器との隙間を大きく保つための切欠きが設けられているようにしたので、固定金具を凝縮器（熱交換器）の放熱フィンの内側上面に近接して設けても、本体の組立て等の時に伝熱管や放熱フィンにキズや変形を生じさせる虞が少なくなり、また、ファンモータの振動による影響も少なくなり、安定した品質が保たれ本体の外形も小さく小型化できる。
【００１９】
請求項２記載の本発明では、請求項１記載の空気調和機の室外ユニットにおいて、前記熱交換器には伝熱管が千鳥状に配置され、しかもこの熱交換器の最上部に位置する伝熱管は、前記ファンモータを吊り下げ固定する金具の他端と対向する位置の反対側に挿通させたので、固定金具を凝縮器（熱交換器）の放熱フィンの内側上面に近接して設けても、本体の組立て等の時に伝熱管や放熱フィンにキズや変形を生じさせる虞が少なくなり、また、ファンモータの振動による影響も少なくなり、より安定した品質が保たれ本体の外形も小さく小型化できる。
【図面の簡単な説明】
【図１】本発明の実施例を示す本体全体の説明図である。
【図２】本発明の実施例を示すファンモータ固定構造の分解説明図である。
【図３】本発明の第一の実施例を示すファンモータ固定構造の説明図である。
【図４】本発明の第二の実施例を示すファンモータ固定構造の説明図である。
【図５】従来の実施例を示すファンモータ固定構造の説明図である。
【符号の説明】
１      本体
２      熱交換器
３      天板
７      固定金具
７Ｂ    固定金具の他端
７０    切欠き
８      送風機
８Ａ    ファンモータ
Ｔ      凝縮器と固定金具との隙間
【図１】
0003913441.tif 000002
【図２】
0003913441.tif 000003
【図３】
0003913441.tif 000004
【図４】
0003913441.tif 000005
【図５】
0003913441.tif 000006